(57)【要約】【課題】  大きな広告ポスターを保持する大型パネルであっても軽量化することができるＬＥＤポスターパネルを得る。【解決手段】  一側面より入射したＬＥＤ光源の光を対向する他側面方向へ導く矩形状の透明樹脂製の導光パネル板と、導光パネル板の後面部に配され、ＬＥＤ光源の側方からの光を前面方向に反射する反射手段と、反射手段の反射光によって照明される導光パネル板の前面部の広告表示領域とを備えたＬＥＤパネルにおいて、広告表示領域の周囲の矩形状の導光パネル板のＬＥＤ光源を含む三側面を覆ってＬＥＤ光源の放熱を行う金属製枠材を備え、透明樹脂製の導光パネル板の厚さが６ｍｍ未満２ｍｍ以上の薄さである。【選択図】      図３
2018146780.tif 000002
【特許請求の範囲】
【請求項１】
一側面より入射したＬＥＤ光源の光を対向する他側面方向へ導く矩形状の透明樹脂製の導光パネル板と、
前記導光パネル板の後面部に配され、ＬＥＤ光源の側方からの光を前面方向に反射する反射手段と、
前記反射手段の反射光によって照明される前記導光パネル板の前面部の広告表示領域とを備えたＬＥＤパネルにおいて、
前記広告表示領域の周囲の前記矩形状の導光パネル板のＬＥＤ光源を含む三側面を覆う金属製枠材を備え、
前記透明樹脂製の導光パネル板の厚さが、６ｍｍ未満２ｍｍ以上の薄さであることを特徴とする薄形ＬＥＤポスターパネル。
【請求項２】
前記導光パネル板の反り防止手段を更に備えたことを特徴とする請求項１に記載の薄形ＬＥＤポスターパネル。
【請求項３】
前記反り防止手段が、前記導光パネル板の後面部に配されて導光パネル板に当接する表面を前記反射手段とする硬質板であることを特徴とする請求項２に記載の薄形ＬＥＤポスターパネル。
【請求項４】
前記反り防止手段が、前記金属製枠材で覆われたＬＥＤ光源の放熱を行う放熱手段であって、
この放熱手段が、前記ＬＥＤ光源を少なくとも１側面に設置する前記金属製枠材に形成された放冷片であることを特徴とする請求項２又は３に記載の薄形ＬＥＤポスターパネル。
【請求項５】
前記反り防止手段が、
前記導光パネル板の三側面を覆う前記金属製枠材の中間側面を覆う金属枠材を前記導光パネル板の下端縁を支持する支持枠とし、
前記導光パネル板の左右側面を覆う前記金属製枠材に対して前記導光パネル板の両側端縁を遊嵌する遊嵌機構であることを特徴とする請求項２〜４の何れか１項に記載の薄形ＬＥＤポスターパネル。
【発明の詳細な説明】
【技術分野】
【０００１】
本発明は、店舗の壁や窓等に吊下げて広告ポスターを後面側から照明することもできる軽量で薄形のＬＥＤポスターパネルに関するものである。
【背景技術】
【０００２】
従来、写真フイルム等の透光性の広告デザインに対して、パネルのエッジ部分に収装したＬＥＤ光源に基づき照射を行うことにより、広告デザインをはっきりと浮き立たせるようなＬＥＤサインパネルが提案されている（例えば、特許文献１参照）。
【０００３】
このようなＬＥＤサインパネルは、矩形状を呈する透明資材製パネル板の外周縁寄りやや内輪の位置に形成された凹溝にＬＥＤ群を嵌め込み、ＬＥＤ群の発する光が透明資材製パネル板の四周縁まで透過することができるようにＬＥＤ群の嵌め込み部分に光伝達のための透明資材部分を設け、パネル板の後面側に凹溝全体を覆うことができる程度の大きさを具えた反射板を張設し、反射板の正面方向に反射光を乱反射させる構成である。
【先行技術文献】
【特許文献】
【０００４】
【特許文献１】特開２０１１−９５４３９号公報
【発明の概要】
【発明が解決しようとする課題】
【０００５】
このようなＬＥＤサインパネルについては、透明パネル板として主にアクリル樹脂基板等の透明樹脂パネル板が用いられているが、この透明樹脂パネル板は比較的重く、ポスター等の広い面積の広告を搭載させる広い面積のパネル板では、広告ポスターの張り替えが面倒であることが第１の課題であった。
【０００６】
加えて、パネル板とこの基板を支持する枠材等の総重量が十数ｋｇ〜二十数ｋｇとなり、枠材自体を軽量化する場合には、パネル板自体の強度を向上させる必要があるため、パネル板の厚さを厚くして、強度を高める必要があり、逆にパネル板の重さが増加し、軽量化が難しいことも課題であった。
【０００７】
本発明は、大きな広告ポスターを保持する大型パネルであっても軽量化することができるＬＥＤポスターパネルを得ることを目的とする。また、軽量化の伴って発生する弊害を更に解消した薄形ＬＥＤポスターパネルを得ることを目的とする。
【課題を解決するための手段】
【０００８】
請求項１に記載された発明に係る薄形ＬＥＤポスターパネルは、一側面より入射したＬＥＤ光源の光を対向する他側面方向へ導く矩形状の透明樹脂製の導光パネル板と、
前記導光パネル板の後面部に配され、ＬＥＤ光源の側方からの光を前面方向に反射する反射手段と、
前記反射手段の反射光によって照明される前記導光パネル板の前面部の広告表示領域とを備えたＬＥＤパネルにおいて、
前記広告表示領域の周囲の前記矩形状の導光パネル板のＬＥＤ光源を含む三側面を覆ってＬＥＤ光源の放熱を行う金属製枠材を備え、
前記透明樹脂製の導光パネル板の厚さが、６ｍｍ未満２ｍｍ以上の薄さであることを特徴とするものである。
【０００９】
請求項２に記載された発明に係る薄形ＬＥＤポスターパネルは、請求項１に記載導光パネル板の反り防止手段を更に備えたことを特徴とするものである。
【００１０】
請求項３に記載された発明に係る薄形ＬＥＤポスターパネルは、請求項２に記載の反り防止手段が、前記導光パネル板の後面部に配されて導光パネル板に当接する表面を前記反射手段とする硬質板であることを特徴とするものである。
【００１１】
請求項４に記載された発明に係る薄形ＬＥＤポスターパネルは、請求項２又は３に記載の反り防止手段が、前記金属製枠材で覆われたＬＥＤ光源の放熱を行う放熱手段であって、
この放熱手段が、前記ＬＥＤ光源を少なくとも１側面に設置する前記金属製枠材に形成された放冷片であることを特徴とするものである。
【００１２】
請求項５に記載された発明に係る薄形ＬＥＤポスターパネルは、請求項２〜４の何れか１項に記載の反り防止手段が、
前記導光パネル板の三側面を覆う前記金属製枠材の中間側面を覆う金属枠材を前記導光パネル板の下端縁を支持する支持枠とし、
前記導光パネル板の左右側面を覆う前記金属製枠材に対して前記導光パネル板の両側端縁を遊嵌する遊嵌機構であることを特徴とするものである。
【発明の効果】
【００１３】
本発明は、大きな広告ポスターを保持する大型パネルであっても軽量化することができるＬＥＤポスターパネルを得ることができる。更に、軽量化の伴って発生する弊害を更に解消した薄形ＬＥＤポスターパネルを得ることができるという効果がある。
【図面の簡単な説明】
【００１４】
【図１】本発明の薄形ＬＥＤポスターパネルの一実施例の構成を説明する正面図である。
【図２】図１の側部の部分的な拡大断面図である。
【図３】図１の背面図である。
【図４】本発明の薄形ＬＥＤポスターパネルの別の実施例の構成を説明する正面図である。
【図５】図４の側部の部分的な拡大断面図である。
【図６】図４の背面図である。
【図７】本発明の薄形ＬＥＤポスターパネルの更に別の実施例の構成を説明する正面図である。
【図８】図７の側部の部分的な拡大断面図である。
【図９】図７の背面図である。
【発明を実施するための形態】
【００１５】
本発明においては、一側面より入射したＬＥＤ光源の光を対向する他側面方向へ導く矩形状の透明樹脂製の導光パネル板と、導光パネル板の後面部に配され、ＬＥＤ光源の側方からの光を前面方向に反射する反射手段と、反射手段の反射光によって照明される前記導光パネル板の前面部の広告表示領域とを備えたたＬＥＤパネルであり、特に、大きな広告ポスターを保持する大型パネルである。
【００１６】
このようなパネルにおいて、広告表示領域の周囲の前記矩形状の導光パネル板のＬＥＤ光源を含む三側面を覆う金属製枠材を備え、透明樹脂製の導光パネル板の厚さが、６ｍｍ未満２ｍｍ以上の薄さとすることにより、大きな広告ポスターを保持する大型パネルであっても、透明樹脂製の導光パネル板の厚さを従来よりも低減することができるため、導光パネル板等を保持する金属製枠材自体の重量も低減することができるため、大型パネルであっても従来よりも軽量化することができ、店舗の壁や窓等に吊下げて広告印刷シートを後面側から照明することも可能となる。
【００１７】
本発明の導光パネル板としての透明樹脂製の板としては、一側面より入射したＬＥＤ光源の光を対向する他側面方向へ導く矩形状の透明樹脂製の板であればよい。例えば、アクリル樹脂（ポリメタクリル酸メチル樹脂（Polymethyl methacrylate）、ポリカーボネート樹脂（polycarbonate）等が挙げられる。本発明では、導光パネル板の厚さが、６ｍｍ未満２ｍｍ以上の薄さとしているが、６ｍｍ以上では従来のポスターパネルと同等であり、２ｍｍよりも小さい場合には、この厚さに適合する小さいＬＥＤ光源が高価となるからであり、より好ましくは３ｍｍ程度とすることで、従来のパネルの約半分の軽量化が可能となる。
【００１８】
また、本発明の反射手段としては、導光パネル板の後面部に配され、ＬＥＤ光源の側方からの光を前面方向に反射するものであり、広告表示領域の投映面を後面側から覆うように配される。反射手段は、透明板に高い反射を行うように平滑な高輝度の反射層を形成させてもよいし、鏡面状又は高輝度で反射する白色のシール材を鋼板等の硬質板材に貼着して構成してもよい。尚、透明板に反射層を形成させたものでは、後面側にもＬＥＤ光源の光を反射させることもできるため、後面側も広告表示領域とすることができる。
【００１９】
更に、本発明のポスター保持手段の透明板としては、最も外方に配置されるため、透明性が高く、軽量で、耐クリープや耐疲労性が大きく、耐熱性・耐寒性に優れ、電気絶縁性、耐薬品性、耐摩耗性が良い材質ものものが選択される。後述する実施例ではＰＥＴ（ポリエチレンテレフタレート（polyethylene terephthalate））が選択されている。
【００２０】
また、本発明の金属製枠材としては、広告表示領域の周囲の矩形状の導光パネル板のＬＥＤ光源を含む三側面を覆ってＬＥＤ光源の放熱を行うものであればよく、放熱性の高く、強度が高く、軽量な金属が選択される。好ましくは安価なアルミニウム等が選択される。店舗の壁や窓等に吊下げて広告ポスターを後面側から照明することを考慮すると、金属製枠材で覆われていない一側部に広告印刷シートの出し入れ口を形成するため、好ましくは出し入れ口を上辺部として、金属製枠材はこのパネル板の下面部と左右側面部とを覆うように配置される。また、ＬＥＤ光源は視認性を向上させるため、好ましくは、左右側面部に配置することにより、高い照度を得ることが可能となる。尚、金属製枠材は導光パネル板の少なくとも三側面を覆うものであればよく、他の一側面についてもこれを塞いで四側面を覆う枠材としてもよい。
【００２１】
本発明における透明樹脂製の導光パネル板の厚さとしては、従来のポスターパネルの導光パネル板よりも薄いものであれば、軽量化の効果を奏することができる。特に大型の広告パネルを保持可能な大型のものであればより高い軽量化を行うことできる。従来の大型パネルの導光パネル板が６ｍｍ厚以上であるため、６ｍｍ未満とすることにより軽量化が図れる。また、２ｍｍ厚よりも薄くすると更なる軽量化が図れるが、ＬＥＤ光源の光を導く導光パネル板としての輝度が低減する可能性もあり、２ｍｍ厚以上とした。より好ましくは３ｍｍ厚とすることで従来のポスターパネルの半分の重量とすることができる。
【００２２】
本発明においては、軽量化を実現することができるため、店舗の壁や窓等に吊下げて広告ポスターを後面側から照明することができる。この場合、好ましくは、本発明の矩形状の透明樹脂製の導光パネル板の金属製枠材で覆われていない一辺側に吊下用の掛止手段を更に備える。
【００２３】
また、本発明の広告表示領域としては、より具体的には、Ａ２サイズ（４２０ｍｍ×５９４ｍｍ）〜Ｂ１サイズ（７２８ｍｍ×１０３０ｍｍ）のポスターを保持可能な面積を有するものが挙げられる。
【００２４】
更に、本発明においては、広告表示領域の周囲の矩形状の導光パネル板のＬＥＤ光源を含む三側面を覆ってＬＥＤ光源の放熱を行う金属製枠材と、金属製枠材で覆われていない一側部に広告印刷シートの出し入れ口を形成しこの金属製枠材の三側面に接続された透明板と導光パネル板の表面との間隙内に広告印刷シートを保持するポスター保持手段を備えてもよい。これにより、大きな広告印刷シートは出し入れ口から挿入することで容易に保持することができる。
【００２５】
また、本発明の薄形ＬＥＤポスターパネルでは、アクリル樹脂等の透明樹脂の導光パネル板の厚さを薄くして軽量化を実現しているが、導光パネル板の厚さを薄くした場合には、ＬＥＤの点灯時に発生する熱によって、導光パネル板等が膨張し、その膨張の不均一さによってパネル自体に不均一な反りが発生して、捩り状の変形が生じる問題が生じる場合があった。
【００２６】
具体的には、ＬＥＤ光源は熱の発生が白熱電球よりも遙かに小さいが、視認性を向上させるための高い照度（例えば、３５００ルクス以上）を得るために、高輝度のＬＥＤ光源を多数配置することもある。このため、高い照度を得る場合に、当然のことながら、熱が発生し、結果的にポスターパネルのＬＥＤ光源が配置される箇所の近傍では３０℃〜５０℃程度の発熱が生じることとなる。この熱とポスターパネルの他の箇所との熱の不均一に起因して、導光パネル板が膨張し、その膨張の不均一さによってポスターパネル自体に不均一な反りが発生して、捩り状の変形が生じる問題が生じる場合があった。
【００２７】
そのため、本発明では、好ましくは、軽量化に伴ってＬＥＤ光源からの熱等で発生する導光パネル板の反りを防止する反り防止手段を更に備える。
【００２８】
具体的な反り防止手段の一つは、導光パネル板の後面部に配されて導光パネル板に当接する表面を反射手段とする硬質板である。即ち、硬質板を導光パネル板の後面部に配して、導光パネル板の反りをこの硬質板で防止するものである。硬質板としては、導光パネル板側を反射層として加工した金属製や硬質樹脂製の単層又は複層の硬質板が挙げられる。
【００２９】
他の反り防止手段は、金属製枠材で覆われたＬＥＤ光源の放熱を行う放熱手段であって、この放熱手段がＬＥＤ光源を少なくとも１側面に設置する金属製枠材に形成された放冷片である。即ち、金属製枠材の放熱性を向上させることで、ＬＥＤ光源からの熱が導光パネル板に影響を及ぼさないようにする。即ち、好ましくは、金属製枠材に放熱効果を向上させる放熱向上手段を更に備えるものである。
【００３０】
より具体的には、広告表示領域の周囲の矩形状の導光パネル板のＬＥＤ光源を含む三側面を覆ってＬＥＤ光源の放熱を行う金属製枠材について、ＬＥＤ光源を金属製枠材へ確実に設置する。この金属製枠材の表面積を広く取ることで良好な空冷機構を備えるようにする。
【００３１】
例えば、金属製枠材を導光パネル板の厚さ方向から裏面側に断面Ｌ字状に折り曲げて、裏面側の面積を大きく取ることにより、ＬＥＤ光源からの熱を良好に放出させるだけでなく、導光パネル板の捩り状の変形に対しても矯正する効果を奏する。また、導光パネル板の厚さ方向を挟んで表面及び裏面に断面コ字状に折り曲げた金属製枠材の場合には、金属製枠材の外方に向かって空冷フィンを形成した枠材としてＬＥＤ光源からの熱を良好に放出させる。また、コ字状に導光パネル板を挟むことにより、捩り状の変形に対しても矯正する効果も奏する。
【００３２】
更に他の反り防止手段は、導光パネル板の三側面を覆う前記金属製枠材の中間側面を覆う金属枠材を前記導光パネル板の下端縁を支持する支持枠とし、導光パネル板の左右側面を覆う前記金属製枠材に対して前記導光パネル板の両側端縁を遊嵌する遊嵌機構である。
【００３３】
即ち、軽量化に伴って発生する弊害を解消する他の工夫としては、導光パネル板と金属製枠材とに遊びを持たせて、導光パネル板の不均一な膨張を直接的に金属製枠材に伝えないようにすることも有効である。このため、ＬＥＤ光源はしっかりと金属製枠材に設置させた上で、導光パネル板及びそのパネル板の後面部に配される反射手段とを、金属製枠材に遊びを持たせて保持させればよい。
【００３４】
より具体的には、導光パネル板の左右側面の両側面を覆う金属製枠材の上方部に吊下用の掛止手段を備え、下側部の金属製枠材で導光パネル板を支え、ＬＥＤ光源が配される左右側面の金属製枠材に対して、若干小さい幅の導光パネル板を選択して、金属製枠材と導光パネル板とを遊びを持たせて保持させることにより、導光パネル板の不均一な膨張を直接的に金属製枠材に伝えないようにする。
【実施例】
【００３５】
図１は本発明の薄形ＬＥＤポスターパネルの一実施例の構成を説明する正面図である。図２は図１の側部の部分的な拡大断面図である。図３は図１の背面図である。図４は本発明の薄形ＬＥＤポスターパネルの別の実施例の構成を説明する正面図である。図５は図４の側部の部分的な拡大断面図である。図６は図４の背面図である。
【００３６】
図１、図２及び図３に示す通り、本実施例の薄形ＬＥＤポスターパネル１０は、一側方より入射したＬＥＤ光源の光を対向する他側方へ導く導光板として機能する厚さ３ｍｍ、横６１９ｍｍ、縦８８９ｍｍの矩形状の透明なアクリル樹脂製の導光パネル板１１を備える。この導光パネル板１１の後面部には、反射手段としてのＰＶＣ製の反射板１２が配されいる。
【００３７】
この導光パネル板１１の下面部及び左右側面部の三面部を覆うようにアルミ製の金属製枠材１５が配されている。本実施例の金属製枠材１５は、導光パネル板１１の側面の厚さ方向から裏面側に断面Ｌ字状に折り曲げて形成されている。図２に示す通り、断面Ｌ字状の金属製枠材１５の左右側面内側には、導光パネル板１１の左右側面に対向して複数のＬＥＤ光源１４群が配されている。
【００３８】
導光パネル板１１の前面部の金属製枠材１５で囲まれた内側が広告表示領域１３となる。広告表示領域１３は、本実施例では、Ａ１（５９４ｍｍ×８４１ｍｍ）の広告ポスターを保持可能な領域を確保している。本実施例では、広告表示領域１３には広告印刷シートとしての広告ポスター３０を保持するポスター保持手段としてのポスター保持部１８を備える。
【００３９】
詳しくは、図２に示す通り、ポスター保持部１８は、金属製枠材１５に配されたＬＥＤ光源１４群を覆い、尚且つ、導光パネル板１１の両側と下側との３方の端縁部に貼着されるフォームラバー製のスペーサ帯１７と、このスペーサ帯１７に縁縁部が貼着される０．８ｍｍ厚のＰＥＴ製の透明板１６とを備える。
【００４０】
スペーサ帯１７が貼着されていない上部は、広告ポスター３０の出し入れ口１９が形成され、出し入れ口１９の中央部には透明板１６に切欠２０が形成されている。また、透明板１６の４側縁部には仮想のスペーサ帯１７を隠し、出し入れ口１９を明確にするために黒色又は灰色の印刷帯が印刷されている。また、出し入れ口１９の上方には掛止手段としての掛止孔２５が左右に均等に配されている。これにより薄形ＬＥＤポスターパネル１０の吊り下げ固定が可能となる。
【００４１】
本実施例の薄形ＬＥＤポスターパネル１０の厚さは、導光パネル板の厚さを３ｍｍとしたために、最も厚い部分で合計６ｍｍとなっている。このため、同等サイズの従来のポスターパネルの半分以下の軽量化を実現した。更に、透明樹脂パネル板の厚さを薄くした場合には、ＬＥＤの点灯時に発生する熱によって、透明樹脂パネル板及びこのパネル板の後面に配されている反射板が膨張し、その膨張の不均一さによってパネル自体に不均一な反りが発生して、捩り状の変形が生じる問題を解消する反り防止手段を備えている。
【００４２】
具体的には、ＬＥＤ光源の放熱効果を向上させる反り防止手段としての放熱手段としては、金属製枠材１５の断面Ｌ字状の裏面側の折曲げ面積を広くしていることで放熱効果を大きくしている。加えて、裏面側の面積を大きく取ることにより導光パネル板の捩り状の変形に対しても矯正する効果も奏している。
【００４３】
図４、図５及び図６に示す通り、別の実施例の薄形ＬＥＤポスターパネル４０は、一側方より入射したＬＥＤ光源の光を対向する他側方へ導く導光板として機能する厚さ３ｍｍ、横６１０ｍｍ、縦８８９ｍｍの矩形状の透明なアクリル樹脂製の導光パネル板４１を備える。この導光パネル板４１の後面部には、反射手段としてのＰＶＣ製の反射板４２が配されいる。このＰＶＣ製の反射板４２は後面側にもＬＥＤ光源の光を反射することもできるため、後面側も広告表示領域４３とすることができる。
【００４４】
この導光パネル板４１の下面部及び左右側面部の三面部を覆うようにアルミ製の金属製枠材４５が配されている。本実施例の金属製枠材４５は、導光パネル板の厚さ方向を挟んで表面及び裏面に断面コ字状に折り曲げた構成である。図５に示す通り、断面コ字状の金属製枠材４５の左右側面内側には、導光パネル板４１の左右側面に対向して複数のＬＥＤ光源４４群が配されている。
【００４５】
本実施例では、導光パネル板４１の前面部の金属製枠材４５で囲まれた内側と、後面部の金属製枠材４５で囲まれた内側との２面が広告表示領域４３となる。広告表示領域４３は、本実施例でも、Ａ１（５９４ｍｍ×８４１ｍｍ）の広告印刷シートとしての広告ポスターを保持可能な領域を確保している。本実施例では、広告表示領域４３の各々には広告ポスター６０を保持するポスター保持手段としてのポスター保持部４８を備える。
【００４６】
詳しくは、図５に示す通り、ポスター保持部４８は、導光パネル板４１の表裏面の両側と下側との３方の端縁部に貼着されるフォームラバー製のスペーサ帯４７と、このスペーサ帯４７に縁縁部が貼着される０．８ｍｍ厚のＰＥＴ製の透明板４６とを各々備える。断面がコ字状の金属製枠材４５はこれらポスター保持部４８が配された導光パネル板４１と反射板４２との積層体を保持しつつ、ＬＥＤ光源４４群の光を導光パネル板４４の側面から導入する。
【００４７】
表裏のスペーサ帯４７が貼着されていない上部は、広告ポスター６０の出し入れ口４９が形成され、出し入れ口４９の中央部には各々の透明板４６に切欠５０が形成されている。また、透明板４６の上縁部には出し入れ口４９を明確にするために黒色又は灰色の印刷帯が印刷されている。また、出し入れ口４９の上方には掛止手段としての掛止孔５５が左右に均等に配されている。これにより薄形ＬＥＤポスターパネル４０の吊り下げ固定が可能となる。
【００４８】
本実施例の薄形ＬＥＤポスターパネル４０の厚さは、導光パネル板の厚さを３ｍｍとし、表裏両面にポスター保持部４８を備えたために、最も厚い部分で合計１０ｍｍとなっている。このため、同等サイズの従来のポスターパネルの約半分の軽量化を実現した。更に、透明樹脂パネル板の厚さを薄くした場合には、ＬＥＤの点灯時に発生する熱によって、透明樹脂パネル板及びこのパネル板の後面に配されている反射板が膨張し、その膨張の不均一さによってパネル自体に不均一な反りが発生して、捩り状の変形が生じる問題を解消する反り防止手段を備えている。
【００４９】
具体的には、ＬＥＤ光源の放熱効果を向上させる反り防止手段としての放熱手段として、金属製枠材４５の断面コ字状の金属製枠材の外方に向かって空冷フィン５１を形成した枠材としてＬＥＤ光源からの熱を良好に放出させる。また、コ字状に導光パネル板を挟むことにより、捩り状の変形に対しても矯正する効果も奏している。
【００５０】
図７、図８及び図９に示す通り、更に別の実施例の薄形ＬＥＤポスターパネル７０は、一側方より入射したＬＥＤ光源の光を対向する他側方へ導く導光板として機能する厚さ３ｍｍ、横６１０ｍｍ、縦８８９ｍｍの矩形状の透明なアクリル樹脂製の導光パネル板７１を備える。この導光パネル板７１の後面部には、導光パネル板７１面側に反射手段としての反射層７２が形成された２ｍｍ厚の硬質板８２が配されいる。本実施例の硬質板８２は、硬質樹脂としてポリエチレン樹脂の表裏面に反射層７２として白カラー塗装のアルミニウム材で挟み込んで形成されている。
【００５１】
この導光パネル板７１と硬質板８２との下面部及び左右側面部の三面部を覆うようにアルミ製の金属製枠材７５が配されている。本実施例の金属製枠材７５は、導光パネル板の厚さ方向を挟んで表面及び裏面に断面コ字状に折り曲げた構成である。図８に示す通り、断面コ字状の金属製枠材７５の左右側面内側には、導光パネル板７１の左右側面に対向して複数のＬＥＤ光源７４群が配されている。
【００５２】
本実施例では、導光パネル板７１の前面部の金属製枠材７５で囲まれた内側の面が広告表示領域７３となる。広告表示領域７３は、本実施例でも、Ａ１（５９４ｍｍ×８４１ｍｍ）の広告印刷シートとしての広告ポスターを保持可能な領域を確保している。本実施例では、広告表示領域７３の各々には広告ポスター９０を保持するポスター保持手段としてのポスター保持部７８を備える。
【００５３】
詳しくは、図８に示す通り、ポスター保持部７８は、導光パネル板７１の表裏面の両側と下側との３方の端縁部に貼着されるフォームラバー製のスペーサ帯７７と、このスペーサ帯７７に縁縁部が貼着される０．８ｍｍ厚のＰＥＴ製の透明板７６とを各々備える。断面がコ字状の金属製枠材７５はこれらポスター保持部７８が配された導光パネル板７１と反射板７２との積層体を保持しつつ、ＬＥＤ光源７４群の光を導光パネル板７１の側面から導入する。
【００５４】
スペーサ帯７７が貼着されていない上部は、広告ポスター９０の出し入れ口７９が形成され、出し入れ口７９の中央部には各々の透明板７６に切欠８０が形成されている。また、透明板７６の上縁部には出し入れ口７９を明確にするために黒色又は灰色の印刷帯が印刷されている。また、出し入れ口７９の上方には掛止手段としての掛止孔８５が左右に均等に配されている。これにより薄形ＬＥＤポスターパネル６０の吊り下げ固定が可能となる。
【００５５】
本実施例の薄形ＬＥＤポスターパネル６０の厚さは、表面側に３ｍｍのスペーサ帯７７のポスター保持部７８を備えたために、金属製枠材７５を含まない厚さで９．５ｍｍ、金属製枠材７５の厚さを含めて１２ｍｍとなっており、同等サイズの従来のポスターパネルの約半分の軽量化（４．５ｋｇ）を実現した。更に、透明樹脂パネル板の厚さを薄くした場合には、ＬＥＤの点灯時に発生する熱によって、透明樹脂パネル板及びこのパネル板の後面に配されている反射板が膨張し、その膨張の不均一さによってパネル自体に不均一な反りが発生して、捩り状の変形が生じる問題を解消する反り防止手段を備えている。
【００５６】
具体的には、一つの反り防止手段としては、硬質板８２の導光パネル板７１の後面部への配置である。硬質板８２の導光パネル板７１の後面部へ配置されることにより、導光パネル板７１の反りをこの硬質板８２で防止することができる。また、図４のポスターパネル４０と同様に、ＬＥＤ光源の放熱効果を向上させる工夫として、金属製枠材７５の断面コ字状の金属製枠材７５の外方に向かって空冷フィン８１を形成した枠材としてＬＥＤ光源からの熱を良好に放出させ、尚且つ、硬質板８２のアルミニウム材が金属製枠材７５に接続されていることからも放熱効果を向上させている。また、コ字状に導光パネル板を挟むことにより、捩り状の変形に対しても矯正する効果も奏している。
【符号の説明】
【００５７】
１０…薄形ＬＥＤポスターパネル、
１１…導光パネル板、
１２…反射板、
１３…広告表示領域、
１４…ＬＥＤ光源、
１５…金属製枠材、
１６…透明板、
１７…スペーサ帯、
１８…ポスター保持部（ポスター保持手段）、
１９…出し入れ口、
２０…切欠、
２１…保持テープ、
２５…掛止孔、
３０…広告ポスター（広告印刷シート）、
４０…薄形ＬＥＤポスターパネル、
４１…導光パネル板、
４２…反射板、
４３…広告表示領域、
４４…ＬＥＤ光源、
４５…金属製枠材、
４６…透明板、
４７…スペーサ帯、
４８…ポスター保持部（ポスター保持手段）、
４９…出し入れ口、
５０…切欠、
５１…空冷フィン、
５５…掛止孔、
６０…広告ポスター（広告印刷シート）、
７０…薄形ＬＥＤポスターパネル、
７１…導光パネル板、
７２…反射層、
７３…広告表示領域、
７４…ＬＥＤ光源、
７５…金属製枠材、
７６…透明板、
７７…スペーサ帯、
７８…ポスター保持部（ポスター保持手段）、
７９…出し入れ口、
８０…切欠、
８１…空冷フィン、
８２…硬質板、
８５…掛止孔、
９０…広告ポスター（広告印刷シート）、
【図１】
2018146780.tif 000003
【図２】
2018146780.tif 000004
【図３】
2018146780.tif 000005
【図４】
2018146780.tif 000006
【図５】
2018146780.tif 000007
【図６】
2018146780.tif 000008
【図７】
2018146780.tif 000009
【図８】
2018146780.tif 000010
【図９】
2018146780.tif 000011